(57)【特許請求の範囲】
【請求項１】
各種情報を表示するディスプレイと、該ディスプレイに表示された各種情報を操作入力するタッチパネルとを外扉の前面に設け、前記外扉を閉塞した場合に前記ディスプレイに商品を選択するための販売表示画面を表示する一方、前記外扉を開放した場合にメンテナンス画面を表示する自動販売機において、
前記外扉を開放し、前記ディスプレイに前記メンテナンス画面が表示された状態で前記外扉の内側または本体内部に設置した内部機器を操作した場合に、前記タッチパネルからの操作入力を無効にする制限手段を設けたことを特徴とする自動販売機。
【請求項２】
前記外扉を開放した状態で前記内部機器を操作した場合に、前記ディスプレイに販売中止画面を表示することを特徴とする請求項１に記載の自動販売機。
【請求項３】
前記内部機器が前記外扉の内側に設置されたコインメカニズム、ビルバリデータ、リモコンのいずれかであることを特徴とする請求項１または２に記載の自動販売機。
【発明の詳細な説明】
【技術分野】
【０００１】
本発明は、ディスプレイとタッチパネルとを組み合わせた表示部を外扉の前面に設けた自動販売機に関する。
【背景技術】
【０００２】
ディスプレイとタッチパネルとを組み合わせた表示部を外扉の前面に設けた自動販売機は、外扉の内側に、硬貨処理装置、紙幣処理装置などを備えるとともに、本体キャビネットの内部に、缶入り飲料、ビン入り飲料、ペットボトル入り飲料などの商品を収納するラック、ラックに収納した商品を冷却または加温する冷却・加温装置などを備えている。そして、自動販売機は、外扉を閉塞した場合に販売待機状態となり、外扉の前面に設けた表示部に販売する商品の選択画面（販売中表示画面）を表示する。一方、自動販売機は、外扉を開放した場合に保守待機状態となり、外扉の前面に設けた表示部に、設定情報の参照、商品の設定、売上げの表示などの保守モードの選択画面（メンテナンス画面）を表示する（たとえば、特許文献１参照）。
【先行技術文献】
【特許文献】
【０００３】
【特許文献１】特開平１０−１９８８５３号公報
【発明の概要】
【発明が解決しようとする課題】
【０００４】
しかしながら、上述した自動販売機は、商品の補充、硬貨や紙幣の回収など、内部機器を操作している場合にも、外扉の前面（接客面）に設けたタッチパネルからの操作入力が可能であり、設定情報の参照、商品の設定、売上げの表示などの操作入力を制限できない。これにより、オペレータが、商品の補充、硬貨や紙幣の回収など、内部機器を操作している場合に、権限のない第三者（たとえば、利用者）がタッチパネルから操作入力することにより、設定情報の参照、商品の設定、売上げの表示などの操作ができてしまう。
【０００５】
本発明は、上記に鑑みてなされたものであって、商品の補充、硬貨や紙幣の回収など、内部機器を操作している場合に、タッチパネルからの操作入力を制限する自動販売機を提供することを目的とする。
【課題を解決するための手段】
【０００６】
上述した課題を解決し、目的を達成するために、本発明は、各種情報を表示するディスプレイと、該ディスプレイに表示された各種情報を操作入力するタッチパネルとを外扉の前面に設け、前記外扉を閉塞した場合に前記ディスプレイに商品を選択するための販売表示画面を表示する一方、前記外扉を開放した場合に前記ディスプレイにメンテナンス画面を表示する自動販売機において、前記外扉を開放し、前記ディスプレイに前記メンテナンス画面が表示された状態で前記外扉の内側または本体内部に設置した内部機器を操作した場合に、前記タッチパネルからの操作入力を無効にする制限手段を設けたことを特徴とする。
【０００７】
また、本発明は、上記発明において、前記外扉を開放した状態で前記内部機器を操作した場合に、前記ディスプレイに販売中止画面を表示することを特徴とする。
【０００８】
また、本発明は、上記発明において、前記内部機器が前記外扉の内側に設置されたコインメカニズム、ビルバリデータ、リモコンのいずれかであることを特徴とする。
【発明の効果】
【０００９】
本発明にかかる自動販売機は、外扉を開放した状態で外扉の内側または本体内部に設置した内部機器を操作した場合に、タッチパネルからの操作入力を無効にするので、オペレータが商品の補充、硬貨や紙幣の回収など、内部機器を操作している場合に、タッチパネルから操作入力することができなくなる。これにより、権限のない第三者による、設定情報の参照、商品の設定、売上げの表示などの操作が防止できる。
【図面の簡単な説明】
【００１０】
【図１】図１は、本発明の実施の形態である自動販売機の外観を示す正面図である。
【図２】図２は、図１に示した自動販売機の内部構成を示す斜視図である。
【図３】図３は、図１に示した自動販売機の制御構成を示すブロック図である。
【図４】図４は、図１に示した自動販売機において、商品の補充、硬貨、紙幣の回収、リモコンの操作をした場合に実行する動作を示すフローチャートである。
【図５】図５は、図４に示したメンテナンス画面表示においてディスプレイに表示されるメンテナンス画面の一例を示す図である。
【図６】図６は、図４に示した販売中止画面表示においてディスプレイに表示される販売中止画面の一例を示す図である。
【図７】図７は、図４に示した販売表示画面表示においてディスプレイに表示される販売表示画面の一例を示す図である。
【図８】図８は、図１に示した自動販売機において、収納する商品、商品の価格、冷温の別を設定する場合に自動販売機が実行する動作を示すフローチャートである。
【図９】図９は、図８に示した投入商品設定一覧画面表示においてディスプレイに表示される投入商品設定一覧画面の一例を示す図である。
【図１０】図１０は、図８に示したコラム投入商品設定画面表示においてディスプレイに表示されるラック別商品設定画面の一例を示す図である。
【発明を実施するための形態】
【００１１】
以下に、本発明にかかる自動販売機の実施の形態を図面に基づいて詳細に説明する。なお、この実施の形態によりこの発明が限定されるものではない。また、ここでは、缶入り飲料、ビン入り飲料、ペットボトル入り飲料などの商品を販売する自動販売機を例に説明するが、これに限定されるものではなく、たとえば、カップに飲料を注出するカップ式飲料自動販売機にも適用可能である。
【００１２】
図１は、本発明の実施の形態である自動販売機の外観を示す正面図であり、図２は、図１に示した自動販売機の内部構成を示す斜視図である。また、図３は、図１に示した自動販売機の制御構成を示すブロック図である。
【００１３】
本発明の実施の形態である自動販売機は、缶入り飲料、ビン入り飲料、ペットボトル入り飲料などの商品を販売する自動販売機であって、図２に示すように、本体キャビネット１を有している。本体キャビネット１は、複数の鋼板を適宜組み合わせることにより、前面が開口した箱状に構成してあり、本体キャビネット１の前面開口は、開閉可能な外扉２によって閉塞される。
【００１４】
本体キャビネット１の内部は、機械室３と商品収容室４とに画成されている。また、商品収容室４は、断熱仕切板によってさらに三つの商品収納庫４ａ，４ｂ，４ｃに仕切られている。これら三つの商品収納庫４ａ，４ｂ，４ｃのうち、正面向かって左側の商品収納庫（以下、「左庫」という）４ａと中央の商品収納庫（以下「中庫」という）４ｂとは、冷温切り替えが可能である。そして、商品収納庫４ａ（４ｂ）を冷却に設定した場合には、商品収納庫４ａ（４ｂ）の内部を冷却し、商品収納庫４ａに収納した商品を冷却する。一方、商品収納庫４ａ（４ｂ）を加温に設定した場合には、商品収納庫４ａ（４ｂ）の内部を加温し、商品収納庫４ａ（４ｂ）に収納した商品を加温する。また、正面向かって右側の商品収納庫（以下、「右庫」という）４ｃは、冷却専用庫であり、商品収納庫４ｃの内部を冷却し、商品収納庫４ｃに収納した商品を冷却する。
【００１５】
商品収納庫４ａ，４ｂ，４ｃには、それぞれ商品収納ラック５が搭載してある。本発明の実施の形態である自動販売機は、左庫４ａと右庫４ｃの幅方向に二列の商品収納ラック５が搭載してあり、中庫４ｂの幅方向に一列の商品収納ラック５が搭載してある。また、商品収納ラック５には、商品収納庫４ａ，４ｂ，４ｃの奥行き方向に五つの通路（以下、この通路を便宜上、「ラック」と称する）が設けてあり、各通路には商品が収納可能となっている。
【００１６】
図１に示すように、外扉２の前面右側中程には、メインドアロック２１が設けてあり、外扉２を閉塞した状態で施錠される。また、外扉２の前面上方部には、表示部２２が設けてある。表示部２２は、大型のディスプレイ２２１（図３参照）とタッチパネル２２２（図３参照）とを組み合わせたものであり、販売表示画面（図７参照）が表示される。販売表示画面には、販売可能な商品が表示され、商品の表示領域に触れることにより商品が選択される。また、表示部２２には、販売中、釣り銭切れ、準備中、お札中止のほか、投入金額等の各種情報が表示される。
【００１７】
また、表示部２２の下方となる外扉２の中程には、硬貨投入口２３、紙幣挿入口２４、返却レバー２５、電子マネーリーダライタ２６が設けてある。
【００１８】
硬貨投入口２３は、硬貨を受け付けるための開口であって、硬貨投入口２３から投入された硬貨は、外扉２の内側に搭載したコインメカニズム（硬貨処理装置）３１（図２参照）に収容される。コインメカニズム３１は、各種硬貨の投入枚数を整理し、後述するメインコントローラ４０（図３参照）に送信する一方、メインコントローラ４０からの指令に従い、各種硬貨を払い出す。また、本実施の形態である自動販売機に搭載したコインメカニズム３１は、自己の状態を監視する自己監視機能を備えており、内部に収納した硬貨を回収するために、硬貨を収容したカセットチューブ（図示せず）を取り外した場合や、インベントリスイッチ（図示せず）を操作した場合には、コインメカニズム３１がその旨（硬貨の回収操作入力）を後述するメインコントローラ４０に送信する。
【００１９】
紙幣挿入口２４は、紙幣を受け付けるための開口であって、紙幣挿入口２４から挿入された紙幣は、外扉２の内側に搭載したビルバリデータ（紙幣処理装置）３２（図２参照）に収容される。ビルバリデータ３２は、紙幣の投入枚数を整理し、メインコントローラ４０（図３参照）に送信する一方、メインコントローラ４０からの指令に従い、紙幣を払い出す。また、本実施の形態である自動販売機に搭載したビルバリデータ３２は、自己の状態を監視する自己監視機能を備えており、内部に収納した紙幣を回収するために、紙幣を収容したスタッカ（図示せず）を開放操作した場合には、ビルバリデータ３２がその旨（紙幣の回収操作入力）を後述するメインコントローラ４０に送信する。
【００２０】
返却レバー２５は、取引の中断を指示するためのもので、返却レバー２５が操作されると、取引が中断され、釣り銭等を返却口２７に放出する。電子マネーリーダライタ２６は、カードを識別し、カードにチャージされた電子マネーにより決済を実行する。
【００２１】
また、外扉２の下方となる位置には、取出口２８が設けてある。取出口２８は、商品収納ラック５から搬出された商品を取り出すための開口である。
【００２２】
また、外扉２の内側には、リモコン３３が配設してある。リモコン３３は、各種設定操作、各種売上データの確認操作をおこなうためのもので、操作キー、冷温切替スイッチのほか、各種設定データや確認データが表示されるモニタ（液晶キャラクタディスプレイ）を備えている。そして、リモコン３３から設定入力された設定データはメインコントローラ４０に送信され、メインコントローラ４０から送信された確認データを受信する。また、本実施の形態である自動販売機は、商品を補充（ローディング）する場合に操作する操作キー（補充操作キー）が設けてあり、当該操作キーを操作すると、リモコン３３がその旨（商品の補充操作入力）を後述するメインコントローラ４０に送信する。
【００２３】
また、外扉２の内側には、ドアスイッチ３４が設けてある。ドアスイッチ３４は、外扉２の開閉状態を検出するためのもので、外扉２を開放した場合にオンとなり、閉塞した場合にオフとなる。
【００２４】
図３に示すように、上述したコインメカニズム３１、ビルバリデータ３２、電子マネーリーダライタ２６は、ライン４１を介してメインコントローラ（主制御部）４０に接続してあり、表示部２２（ディスプレイ２２１およびタッチパネル２２２）、リモコン３３は、ライン４２を介してメインコントローラ４０に接続してある。また、メインコントローラ４０には、ライン４３を介して本体スレーブ（制御部）４４が接続してある。
【００２５】
本体スレーブ４４には、上述したドアスイッチ３４のほか、冷熱装置４５、搬出装置４６が接続してあり、メインコントローラ４０からの指令に従って冷熱装置４５、搬出装置４６を制御する。
【００２６】
冷熱装置４５は、上述した商品収納庫４ａ，４ｂ，４ｃを設定された状態に管理するためのもので、冷却設定された商品収納庫の内部を冷却する一方、加温設定された商品収納庫の内部を加温する。
【００２７】
搬出装置４６は、ラックごとに設けられたベンドソレノイド、売切スイッチを管理するためのもので、メインコントローラ４０から本体スレーブ４４に送信された搬出命令に従ってラックから商品を搬出する一方、ラックに収納された商品のすべてを搬出した場合に売切信号を本体スレーブ４４に出力する。
【００２８】
図３に示すように、メインコントローラ４０は、制御手段４０ａ、設定記憶手段４０ｂ、登録規制手段４０ｃ、設定表示手段４０ｄ、登録表示手段４０ｅ、選択登録手段４０ｆを備えている。
【００２９】
制御手段４０ａは、電子マネーリーダライタ２６、コインメカニズム３１、ビルバリデータ３２、表示部２２（ディスプレイ２２１、タッチパネル２２２）、リモコン３３、本体スレーブ４４等の各スレーブの制御を集中管理するもので、設定記憶手段４０ｂに記憶された各種設定データに基づいて各スレーブを制御する。本実施の形態である自動販売機の制御手段４０ａは、ドアスイッチ３４がオフからオンになった場合に外扉２が開放したと判断し、ディスプレイ２２１にメンテナンス画面を表示し、ドアスイッチ３４がオンからオフになった場合に外扉２が閉塞したと判断し、ディスプレイ２２１に販売表示画面を表示する。また、ドアスイッチ３４がオンの状態で、リモコン３３から商品の補充操作入力を受信した場合、コインメカニズム３１から硬貨の回収操作入力を受信した場合、ビルバリデータ３２から紙幣の回収操作入力を受信した場合、リモコン３３からリモコンの操作入力を受信した場合には、タッチパネル２２２の操作入力を無効にし、ディスプレイ２２１に販売中止画面を表示する。
【００３０】
設定記憶手段４０ｂには、商品収納庫４ａ，４ｂ、４ｃの状態（加温、冷却の別）、商品収納庫４ａ，４ｂ，４ｃに関連づけられたラック（商品収納ラック５に画成された通路）およびラック番号、ラックに収納する商品の商品名、現金で販売するときの価格、カードで販売するときの価格、商品コード、商品の画像のほか、ラックが関連づけられたコラム、コラムが関連づけられたディスプレイ２２１の表示領域が記憶される。
【００３１】
登録規制手段４０ｃは、登録する商品をラックにより定まる条件を満たす商品群に規制するためのものである。ラックにより定まる条件とは、加温設定された商品収納庫（図９において左庫４ａ）に位置するラックの場合には、加温可能な商品群であることであり、冷却設定された商品収納庫（図９において中庫４ｂ）に位置する場合には、冷却可能な商品群であることである。なお、ラックにより定まる条件は、加温設定または冷却設定に限定されるものではなく、商品の高さや、商品の胴径により定まることも想定される。
【００３２】
設定表示手段４０ｄは、ラックと該ラックに登録した商品とを関連づけてディスプレイ２２１に表示するためのもので、具体的には、ラックと該ラックに登録した商品とを関連づけた一覧表をディスプレイ２２１に表示する（図９参照）。
【００３３】
登録表示手段４０ｅは、ラックと該ラックにより定まる条件を満たす商品群とを関連づけてディスプレイ２２１に表示するためのもので、具体的には、ラックと該ラックにより定まる条件を満たす商品群の一覧を関連づけてディスプレイ２２１に表示する（図１０参照）。たとえば、自動販売機に収納可能な商品群の一覧を用意しておき、ラックにより定まる条件を満たす商品群を通常表示する一方、条件を満たさない商品群をグレー表示してもよいし、ラックにより定まる条件を満たさない商品群を非表示にしてもよい。
【００３４】
選択登録手段４０ｆは、登録表示手段４０ｅが表示した商品群の中から任意の商品を選択して登録するためのもので、具体的には、登録表示手段４０ｅがディスプレイ２２１に表示した商品群の中から選択して登録する。たとえば、登録表示手段４０ｅがディスプレイ２２１に表示した商品群の中の商品の表示に触れることにより、選択して登録する。
【００３５】
図４は、商品の補充、硬貨、紙幣の回収、リモコンの操作をした場合に自動販売機が実行する動作を示すフローチャートである。図５は、図４に示したメンテナンス画面表示において表示されるメンテナンス画面の一例を示す図であり、図６は、図４に示した販売中止画面表示において表示される販売中止画面の一例を示す図である。また、図７は、図４に示した販売表示画面表示においてで表示される販売表示画面の一例を示す図である。
【００３６】
上述した本発明の実施の形態である自動販売機において、商品の補充（ローディング）、硬貨または紙幣の回収、投入商品、商品の価格、冷温の別を設定する場合には、まず、外扉２を開放する。すると、ドアスイッチ３４がオフからオンに移行し（ステップＳ１：Ｙｅｓ）、表示部２２のディスプレイ２２１にはメンテナンス画面が表示される（ステップＳ２）。図５に示すように、メンテナンス画面には、投入商品、商品の価格、冷温の別などを設定する設定モード、売上げ、故障状況を表示する表示モードが表示される。
【００３７】
ここで、商品の補充（ローディング）をする場合には、リモコン３３の商品を補充する場合に操作する操作キー（補充操作キー）を操作する。すると、その旨（商品の補充操作入力）がリモコン３３からメインコントローラ４０に送信される。メインコントローラ４０がリモコン３３から商品の補充操作入力を受信すると（ステップＳ３：Ｙｅｓ）、メインコントローラ４０は、表示部２２のディスプレイ２２１に販売中止画面（図６参照）を表示するとともに、表示部２２のタッチパネル２２２からの操作入力を無効にする（ステップＳ４，Ｓ５）。ちなみに、この状態で、硬貨および紙幣の回収、リモコン３３の操作は可能である。そして、外扉２が閉鎖されるまで、すなわち、ドアスイッチ３４がオンからオフに移行するまで、この状態を維持する（ステップＳ６：Ｎｏ）。そして、外扉２が閉鎖され、ドアスイッチ３４がオンからオフに移行すると（ステップＳ６：Ｙｅｓ）、メインコントローラ４０は、表示部２２のディスプレイ２２１に販売表示画面（図７参照）を表示するとともに、表示部２２のタッチパネル２２２からの操作入力を有効にする（ステップＳ７，Ｓ８）。
【００３８】
また、硬貨の回収をする場合には、硬貨を収納したカセットチューブを取り外すか、インベントリスイッチを操作する。すると、コインメカニズム３１は、その旨（硬貨の回収操作入力）をメインコントローラ４０に送信する。メインコントローラ４０がコインメカニズム３１から硬貨の回収操作入力を受信すると（ステップＳ１１：Ｙｅｓ）、メインコントローラ４０は、表示部２２のディスプレイ２２１に販売中止画面（図６参照）を表示するとともに、表示部２２のタッチパネル２２２からの操作入力を無効にする（ステップＳ４，Ｓ５）。ちなみに、この状態で、紙幣の回収、リモコン３３の操作は可能であり、リモコン３３の商品を補充する場合に操作する操作キー（補充操作キー）を操作し、商品を補充することも可能である。そして、外扉２が閉鎖されるまで、すなわち、ドアスイッチ３４がオンからオフに移行するまで、この状態を維持する（ステップＳ６：Ｎｏ）。そして、外扉２が閉鎖され、ドアスイッチ３４がオンからオフに移行すると（ステップＳ６）、メインコントローラ４０は、表示部２２のディスプレイ２２１に販売表示画面（図７参照）を表示するとともに、表示部２２のタッチパネル２２２からの操作入力を有効にする（ステップＳ７，Ｓ８）。
【００３９】
また、紙幣の回収をする場合には、紙幣を収納したスタッカを開放操作する。すると、ビルバリデータ３２は、その旨（紙幣の回収操作入力）をメインコントローラ４０に送信する。ビルバリデータ３２から紙幣の回収操作入力を受信すると（ステップＳ１２：Ｙｅｓ）、メインコントローラ４０は、表示部２２のディスプレイ２２１に販売中止画面（図６参照）を表示するとともに、表示部２２のタッチパネル２２２からの操作入力を無効にする（ステップＳ４，Ｓ５）。ちなみに、この状態で、硬貨の回収、リモコン３３の操作は可能であり、リモコン３３の商品を補充する場合に操作する操作キー（補充操作キー）を操作し、商品を補充することも可能である。そして、外扉２が閉鎖されるまで、すなわち、ドアスイッチ３４がオンからオフに移行するまで、この状態を維持する（ステップＳ６：Ｎｏ）。そして、外扉２が閉鎖され、ドアスイッチ３４がオンからオフに移行すると、メインコントローラ４０は、表示部２２のディスプレイ２２１に販売表示画面（図７参照）を表示するとともに、表示部２２のタッチパネル２２２からの操作入力を有効にする（ステップＳ７，Ｓ８）。
【００４０】
また、リモコン３３を用いて各種設定操作、各種売上データの確認操作をする場合には、リモコン３３を操作する。すると、リモコン３３は、その旨（リモコンの操作入力）をメインコントローラ４０に送信する。リモコン３３からリモコンの操作入力を受信すると（ステップＳ１３：Ｙｅｓ）、メインコントローラ４０は、表示部２２のディスプレイ２２１に販売中止画面（図６参照）を表示するとともに、表示部２２のタッチパネル２２２からの操作入力を無効にする（ステップＳ４，Ｓ５）。ちなみに、この状態で、硬貨の回収、リモコン３３の操作は可能であり、リモコン３３の商品を補充する場合に操作する操作キー（補充操作キー）を操作し、商品を補充することも可能である。そして、外扉２が閉鎖されるまで、すなわち、ドアスイッチ３４がオンからオフに移行するまで、この状態を維持する（ステップＳ６：Ｎｏ）。そして、外扉２が閉鎖され、ドアスイッチ３４がオンからオフに移行すると、メインコントローラ４０は、表示部２２のディスプレイ２２１に販売表示画面（図７参照）を表示するとともに、表示部２２のタッチパネル２２２からの操作入力を有効にする（ステップＳ７，ステップＳ８）。なお、従来の自動販売機は、リモコンを操作してから所定の時間（たとえば、３０秒）が経過するまでにつぎの操作がされた場合に設定を継続する一方、リモコンを操作してからつぎの操作までに所定の時間が経過した場合に設定を中断するが、本実施の形態では、外扉２が閉鎖され、ドアスイッチ３４がオンからオフに移行するまで、表示部２２のディスプレイ２２１に販売中止画面を表示するとともに、表示部２２のタッチパネル２２２からの操作入力を無効にするので、リモコン３３を操作してからつぎの操作までに所定の時間が経過しても、表示部２２のディスプレイ２２１に販売表示画面（図７参照）が表示されたり、メンテナンス画面（図５参照）が表示されたりすることがない。
【００４１】
図８は、図１に示した自動販売機において、収納する商品、商品の価格、冷温の別を設定する場合に自動販売機が実行する動作を示すフローチャートである。図９は、図８に示した投入商品設定一覧画面表示においてディスプレイに表示される投入商品一覧画面の一例を示す図であり、図１０は、図８に示したラック投入商品設定画面表示においてディスプレイに表示されるコラム別商品設定画面の一例を示す図である。
【００４２】
図８に示すように、収納する商品、商品の価格、冷温の別を設定する場合には、コインメカニズム３１、ビルバリデータ３２、リモコン３３を操作することなく、表示部２２のディスプレイ２２１に表示されたメンテナンス画面において、設定モードを選択する（ステップＳ２１：Ｙｅｓ）。具体的には、設定モードが表示された領域に触れることにより、設定モードを選択する。すると、図９に示すように、表示部２２のディスプレイ２２１に投入商品設定一覧画面が表示される（ステップＳ２２）。投入設定一覧画面には、商品収納庫の状態（加温、冷却の別）、ラックの位置、ラック番号、ラックに収納する商品の商品名、現金で販売するときの価格、カードで販売するときの価格、商品コード、商品の画像が表示され、収納する商品、商品の価格、冷温の別の設定が可能となる。
【００４３】
図９には、左庫４ａが加温設定され、中庫４ｂが冷却設定された例が示されている（右庫４ｃは冷却専用）。また、左庫４ａと右庫４ｃには、幅方向に二列、奥行き方向に五つのラックが設けてあり、中庫４ｂには、幅方向に一列、奥行き方向に５つのラックが設けてある。そして、これらのラックには、ラック番号、商品の商品名、現金で販売するときの価格、カードで販売するときの価格、商品コード、商品の画像が関連づけて表示される。
【００４４】
つぎに、投入商品一覧画面に表示されたラックの中から任意のラックを選択する（ステップＳ２３）。具体的には、任意のラックの表示領域に触れることにより、任意のラックを選択する。任意のラックを選択すると、登録表示手段４０ｅがラックと該ラックにより定まる条件を満たす商品群の一覧を関連づけて表示部２２のディスプレイ２２１に表示する。具体的には、図１０に示すように、ラック別投入商品設定画面を表示部２２のディスプレイ２２１に表示する（ステップＳ２４）。ラック別投入商品設定画面には、設定するラックのラック番号、現在設定、ラックにより定まる条件を満たす商品の一覧が表示される。なお、ここでは、自動販売機に収納可能な商品群のうち、ラックにより定まる条件を満たす商品群を通常表示する一方、条件を満たさない商品群をグレー表示することにより、ラックにより定まる条件を満たす商品群の一覧を明示している。
【００４５】
図１０には、ラック番号１０のラックのラック別投入商品設定画面の例が示されている。投入商品設定画面には、ラック番号、現在設定、ラック番号１０のラックにより定まる条件を満たす商品群の一覧が表示されている。なお、図１０に示すように、ラック番号１０のラックは、加温設定された左庫４ａに位置するので、ラックにより定まる条件を満たす商品群は、加温可能な商品群に限られる。
【００４６】
ここで、投入商品を変更する場合には、ラック別投入商品設定画面に通常表示された商品群の中から任意の商品を選択する（ステップＳ２５：Ｙｅｓ）。具体的には、任意の商品の表示領域に触れることにより、任意の商品を選択する。任意の商品を選択すると、選択登録手段４０ｆがその商品をラックに関連づけて登録する（ステップＳ２６）。
【００４７】
すると、ラックごとに登録した商品が入れ替わり、新たな商品がラックに登録した商品となる。このようにしてすべてのラックに商品を登録し、自動販売機が販売する商品の設定が終了する。
【００４８】
一方、売上げ、故障状況を表示する場合には、コインメカニズム３１、ビルバリデータ３２、リモコン３３を操作することなく、表示部２２のディスプレイ２２１に表示されたメンテナンス画面において、表示モードを選択する。具体的には、表示モードが表示された領域に触れることにより、表示モードを選択する。すると、表示選択画面に移行する。表示選択画面には、売上を表示する売上表示モード、故障状況を表示する故障表示モードがあり、売上表示モードが選択されると、売上表示画面が表示され、故障表示モードが選択されると、故障状況が表示される。
【００４９】
上述した本発明の実施の形態である自動販売機は、外扉２を閉塞した場合にディスプレイ２２１に商品を選択するための販売表示画面を表示する一方、外扉２を開放した場合にディスプレイ２２１にメンテナンス画面を表示する自動販売機において、外扉２を開放した状態で外扉２の内側または本体内部に設置した内部機器（リモコン３３、コインメカニズム３１、ビルバリデータ３２）を操作した場合に、タッチパネル２２２からの操作入力を無効にするので、オペレータが商品の補充、硬貨や紙幣の回収など、内部機器を操作している場合に、タッチパネル２２２から操作入力することができなくなる。これにより、権限のない第三者による、設定情報の参照、商品の設定、売上げの表示などの操作が防止できる。
【００５０】
また、内部機器を操作したか否かは、コインメカニズム３１の自己監視機能、ビルバリデータ３２の自己監視機能、リモコン３３の送信機能により、識別可能なので、別途センサを設ける必要はない。
【００５１】
なお、上述した実施の形態である自動販売機は、リモコン３３に商品を補充（ローディング）する場合に操作する操作キーを設けることとしたが、リモコン３３とは別に補充操作スイッチを設けてもよいし、ラック入口に商品検出スイッチを設けて、商品検出スイッチがオンになった場合に商品補充操作入力を出力するものとしてもよい。
【符号の説明】
【００５２】
１    本体キャビネット
２    外扉
２２    表示部
２２１    ディスプレイ
２２２    タッチパネル
２３    硬貨投入口
２４    紙幣挿入口
２５    返却レバー
２６    電子マネーリーダライタ
２７    返却口
２８    取出口
３１    コインメカニズム
３２    ビルバリデータ
３３    リモコン
３４    ドアスイッチ
４０    メインコントローラ（主制御部）
４０ａ    制御手段
４０ｂ    設定記憶手段
４０ｃ    登録規制手段
４０ｄ    設定表示手段
４０ｅ    登録表示手段
４０ｆ    選択登録手段
４４    本体スレーブ（制御部）
【図１】
0005884395.tif 000002
【図２】
0005884395.tif 000003
【図３】
0005884395.tif 000004
【図４】
0005884395.tif 000005
【図５】
0005884395.tif 000006
【図６】
0005884395.tif 000007
【図７】
0005884395.tif 000008
【図８】
0005884395.tif 000009
【図９】
0005884395.tif 000010
【図１０】
0005884395.tif 000011